(57)【要約】【課題】  食品陳列用の連装型のショ−ケスの保冷シャッタ装置であって、各保冷膜の性状の差や駆動系のロス等による保冷膜のたるみを吸収し、すべての保冷膜が同時にたるみなく均一に作動し得るようにしたショ−ケスの保冷シャッタ装置を提供する。【解決手段】  巻軸３内や保冷膜２自体に吸収調整機構部を設け、連装型のショ−ケスの保冷シャッタ装置における作動の不均一を吸収し、保冷膜２が均一作動するようにした図１は巻軸３内に吸収調整機構部を設けたものを示す。【選択図】  図１
2006230961.tif 000002
【特許請求の範囲】
【請求項１】
食品陳列用冷凍冷蔵オープンショーケース（以下、ショーケースと略称する）の前面開口面を閉止する保冷シャッタ装置であって、該保冷シャッタ装置は、保冷膜を巻回し駆動源に連結される巻軸と、互いに隣接して配設される連装型の保冷シャッタ装置間の隙間を封止する封止膜と、該封止膜及び前記保冷膜の下端に連結されるウエイトバーとを有するものからなり、前記巻軸と前記保冷膜とからなる開口面開閉系には、前記駆動源からの駆動力を吸収及び調整する吸収調整機構部が設けられることを特徴とするショ−ケスの保冷シャッタ装置。
【請求項２】
前記吸収調整機構部が、前記駆動源と前記巻軸との間に介設される弾性機構部からなることを特徴とする請求項１に記載のショ−ケスの保冷シャッタ装置。
【請求項３】
前記吸収調整機構部が、前記保冷膜の一部に形成される伸縮膜からなり、該伸縮膜は、閉止状態にある前記保冷膜の上方側に形成されるものであることを特徴とする請求項１に記載のショ−ケスの保冷シャッタ装置。
【発明の詳細な説明】
【技術分野】
【０００１】
本発明は、デパートやスーパマーケット等に設けられる食品陳列用冷凍冷蔵オープンショーケース（以下、ショーケースという）の開口部を閉止して食品を保冷する保冷シャッタ装置に係り、特に、隣接して配置され、単一の駆動源により駆動される連装型の保冷シャッタ装置において、夫々の保冷膜が同時に、かつ円滑に昇降し得るショーケースの保冷シャッタ装置に関する。
【背景技術】
【０００２】
ショーケースの保冷シャッタ装置としては単一型のものと単一型のものを隣接して配置する連装型のものとがあるが、いずれも駆動源は主にコストの低減の意味から単一のものが一般に採用されている。この場合、連装型のものではそれを構成する単一の各保冷膜の厚みが膜全体としてすべて均一であり、かつ駆動源からの駆動力が均一に伝達されれば、保冷膜は同時に開閉動作することになる。しかしながら、保冷膜は発泡体の占在率が高く、製造工程のバラツキから各保冷膜の膜厚をすべて均一にすることが難しい。これに加えて、単一の駆動源からの駆動力は連装型の保冷シャッタ装置の場合、駆動源が直接連結されている保冷シャッタ装置と、これから離れている保冷シャッタ装置との動きに差異が生じ、駆動源から離隔するに従って差が大きくなる。これは、駆動力の伝達系のガタや軸捩れロス等の原因による。従って、連装型の保冷シャッタ装置の保冷膜の開閉をすべて同時に同じように動作させることが困難となり、保冷膜の一部にたるみが生じ、また、ウエイトバーが傾斜する問題点が生ずる。
【０００３】
ショーケースの保冷シャッタ装置としては本発明と同一出願人による「特許文献１」があり、連装型の保冷シャッタ装置における装置間の隙間を封止する封止膜を使用するものがあるが、この公知技術の場合も前記した問題点を解決するものではなく、連装型の保冷シャッタ装置に対しては保冷膜の膜厚の均一化や駆動のずれを低減防止する手段が必要となり、円滑動作を確実に保証するのはコスト高となる等、極めて困難な問題がある。
【特許文献１】実用新案登録第３０９２７４０号（図１）
【発明の開示】
【発明が解決しようとする課題】
【０００４】
前記のように、連装型の保冷シャッタ装置の場合には、保冷膜にたるみが生じ、保冷性が低下する問題点が生ずると共に、ウエイトバーが傾斜し、ウエイトバーとケース側との間に隙間が生じ密接性が低下し、その結果、保冷性が低下する問題点がある。更に、連装型の保冷シャッタ装置の場合、保冷シャッタ装置間に封止膜が必要であり、装置間の隙間からの冷気洩れを防止しているが、保冷膜にたるみが生ずると保冷膜と封止膜との間の密接が不十分となり、冷気洩れが生ずる問題点がある。
【０００５】
本発明は、以上の問題点を解決するもので、保冷膜の厚みにバラツキがあり、かつ単一の駆動源からの駆動力の差が発生する保冷シャッタ装置機構であっても、保冷膜にたるみが発生せず、封止膜との密接性もよく、比較的安価に形成し得るショーケースの保冷シャッタ装置を提供することを目的とする。
【課題を解決するための手段】
【０００６】
本発明は、以上の目的を達成するために、請求項１の発明は、食品陳列用冷凍冷蔵オープンショーケース（以下、ショーケースと略称する）の前面開口面を閉止する保冷シャッタ装置であって、該保冷シャッタ装置は、保冷膜を巻回し駆動源に連結される巻軸と、互いに隣接して配設される連装型の保冷シャッタ装置間の隙間を封止する封止膜と、該封止膜及び前記保冷膜の下端に連結されるウエイトバーとを有するものからなり、前記巻軸と前記保冷膜とからなる開口面開閉系には、前記駆動源からの駆動力を吸収及び調整する吸収調整機構部が設けられることを特徴とする。
【０００７】
また、本発明の請求項２の発明は、前記吸収調整機構部が、前記駆動源と前記巻軸との間に介設される弾性機構部からなることを特徴とする。
【０００８】
また、本発明の請求項３の発明は、前記吸収調整機構部が、前記保冷膜の一部に形成される伸縮膜からなり、該伸縮膜は、閉止状態にある前記保冷膜の上方側に形成されるものであることを特徴とする。
【発明の効果】
【０００９】
本発明の請求項１のショ−ケスの保冷シャッタ装置によれば、巻軸と保冷膜とからなる開口面開閉系内に駆動力を吸収する吸収調整機構部が設けられるため、連装型の保冷シャッタ装置間における保冷膜の肉厚の差やそれに作用する駆動力の伝達差が全体として吸収され、すべての保冷膜が同時に、かつ同一に動作することができる。
【００１０】
また、本発明の請求項２のショ−ケスの保冷シャッタ装置によれば、吸収調整機構部を駆動軸と巻軸との間に設けられる弾性機構部とすることにより、保冷膜と駆動力とのバラツキがこの弾性機構部により全体として吸収され、その結果、保冷膜の均一の動作が確実に行われることになる。
【００１１】
また、本発明の請求項３のショ−ケスの保冷シャッタ装置によれば、請求項２における弾性機構部を用いることなく、保冷膜自体に伸縮性のある膜を設けることにより、前記と同様の効果を上げることができる。また、弾性機構部に較べて装置構造を簡単なものにすることができる。
【発明を実施するための最良の形態】
【００１２】
以下、本発明のショ−ケスの保冷シャッタ装置の実施の形態を図面を参照して詳述する。その説明に先立って、本発明の適用されるショーケースの全体概要構造を図６により説明する。
【００１３】
図６に示すように、ショーケース１００は、後板２９、側板３０（図７）、上板３１、下板３２で上下左右及び後面を囲まれ内部に冷凍冷蔵空間３３を有するシューケース本体３４からなる。このショーケース本体３４には、冷気の流通する冷気流通路３５と食品を陳列する陳列棚４３等が設けられ、冷気流通路３５と冷凍冷蔵空間３３とを連通させる冷気吹出口３６や冷気吸込口３７が設けられている。また、冷気流通路３５にはファン３８やエバポレータ３９が設けられている。また、上板３１の前面には照明ランプ４０が保持される。なお、ショーケース本体３４の前面側には開口部４１が形成され、下板３２の前面側には手摺４２が形成されている。
ショ−ケスの保冷シャッタ装置１ａは、ショーケース本体３４の前面の開口部４１に配置され、この開口部４１の閉止や開放を行うものであり、閉止時においては冷凍冷蔵空間３３と外気側とを遮断して冷気の漏洩を防止し、内部の陳列食品（図略）の保冷を行うためのものである。
【００１４】
ショ−ケスの保冷シャッタ装置１ａは、図６及び図７に示すように、開口部４１を閉止するための保冷膜２と、これを巻回するためにショーケース本体３４の上板３１の前方の近傍に横架される巻軸３と、巻軸３を回転するための駆動源４と、下方にシール部材７を有するウエイトバー５等とからなる。なお、図７に示すように、ショーケース本体３４の側板３０には保冷膜２の端部を案内するガイド６が設けられ、ショーケース本体３４の上部及び下部には保冷膜２の上昇位置や下端位置を検出する位置検出部８，９が設けられている。
【００１５】
図８は以上の構造のショ−ケスの保冷シャッタ装置１ａを連設（図示では２連）した連装型のショ−ケスの保冷シャッタ装置１を示すものであり、連設型の場合にはショ−ケスの保冷シャッタ装置１間に隙間４３が生ずるため、これを閉止するための封止膜１０が設けられている。なお、封止膜はローラ軸１１により動作されるが、ローラ軸１１には封止膜１０を巻上げ方向に付勢する付勢手段（図略）が設けられている。また、封止膜１０の下端はウエイトバー５に保冷膜２と共に固定される。なお、図８に示すように、隣接するショ−ケスの保冷シャッタ装置１，１間はユニバーサルジョイント等の連結手段１２により連結され、これ等ショ−ケスの保冷シャッタ装置１ａ，１ａの巻軸３，３は単一の駆動源４により作動されるように構成されている。
以上の構造により、駆動源４の作動により、巻軸３が作動し、保冷膜２がガイド６に案内されて昇降し、これと共に封止膜１０も作動して開口部４１や隙間４３の開閉を行う。なお、閉止時においてはウエイトバー５のシール部材７が手摺４２に密接され、冷気の漏洩防止を行う。
【００１６】
本発明は、以上の構造の連装型のショ−ケスの保冷シャッタ装置１において、すべての保冷膜２の作動が同時に、かつたるみなく昇降するために設けられた吸収調整機構部について説明するものであり、この吸収調整機構部は巻軸３や保冷膜２とからなる開口面開閉系に設けられている。以下、その実施例の数例を説明する。
【実施例１】
【００１７】
実施例１の吸収調整機構部は巻軸３内に設けられ、その詳細構造を図１乃至図４に示す。図１及び図２に示すように、上板３１の左右には右側板３０ａと左側板３０ｂとが設けられ巻軸３は両側板３０ａ，３０ｂ間に横架されて配置される。なお、本実施例では右側板３０ａ及び左側板３０ｂには巻軸３内に突出する突出部１３，１３が設けられている。
【００１８】
図１に示すように、右側板３０ａの突出部１３の内部には右駆動軸１４が挿着されている。この右駆動軸１４は突出部１３の内面に枢支される大径部１４ａとこの大径部１４ａに段部を会して連設される小径部１４ｂと小径部１４ｂの先端側に形成されるスプライン形状部１４ｃ（スプライン形状でなくてもよいが挿入部材の回転を拘束し軸方向の移動を拘束しない形状のものであればよい）等とからなり、夫々は貫通孔により中空状に形成される。大径部１４ａの貫通孔１５内には駆動源４に連設される連結部材１６がスプリング２７により軸方向の移動を解除された状態で嵌入される。即ち、貫通孔１５は連結部材１６の自由回転を拘束する形状のものからなる。即ち、連結部材１６の回転により右駆動軸１４は回転される。スプライン形状部１４ｃの部分にはスプリング受け１７が自由回転を拘束され軸方向に移動可能の状態で挿着される。このスプリング受け１７には突起１７ａが突出形成される。また、スプライン形状部１４ｃには特殊座金１８が固定され、特殊座金１８とスプリング受け１７との間にはスプリング１９が介設され、スプリング受け１７がスプライン形状部１４ｃから抜け出すことを防止するためのスプリング１９が介設される。
【００１９】
右側板３０ａの突出部１３の外面には右軸受２０が枢支される。なお、右軸受２０は段状のものからなり、その大径部２０ａは前記のように突出部１３の外面に枢支されるが大径部２０ａから突出して形成されている小径部２０ｂは駆動軸１４の小径部１４ｂの外面に枢支される。また、小径部２０ｂには突起２１が形成され、この突起２１とスプリング受け１７の突起１７ａとの間にはスプリング２２が架設される。なお、スプリング２２はスプリング受け１７を小径部２０ｂの端面に圧接する向きに付勢する形状のものからなる。また、図１及び図４に示すように右軸受２０の外周側には凹溝２３が凹設され、この凹溝２３には巻軸３の内部に形成されるリブ３ａが嵌入される。即ち、右軸受２０と巻軸３とはリブ３ａと凹溝２３を介して一体構造となり、同時に回転する構造のものからなる。なお、図４は図１のＢ−Ｂ断面を示すものである。
【００２０】
図２は左側板３０ｂ側に形成されている左駆動軸２４や左軸受２５を示す。左駆動軸２４は左側板３０ｂの突出部１３に枢支される大径部２４ａとこれから突出するスプライン形状部２４ｃとからなり、大径部２４ａ内には図略の連結部材の挿入される貫通孔１５ａが形成され、該貫通孔１５ａ内にはスプリング２６が挿着されている。また、左軸受２５は突出部１３に枢支されると共に凹溝２７に嵌入されるリブ３ａを介して巻軸３に連結される。また、右駆動軸１４のスプライン形状部１４ｃと左駆動軸２４のスプライン形状部２４ｃとの間は図３に示すような連結パイプ２８により連結される。図３の連結パイプ２８の内面は本実施例ではスプライン形状に形成されているが、スプライン形状部１４ｃや２４ｃが角形の場合はそれに嵌合する形状のものでもよい。
【００２１】
以上の構造により、駆動源４に連結される連結部材１６を回転駆動すると、右駆動軸１４が回転し、これに挿着されているスプリング受け１７が回転する。スプリング受け１７と右軸受２０とはスプリング２２により連結されているため右駆動軸１４の回転により右軸受２０が回転し、これに伴って巻軸３が回転する。一方、右駆動軸１４と左駆動軸２４とは連結パイプ２８により連結されているため、右駆動軸１４の回転に伴って左駆動軸２４は回転し、この左駆動軸２４に挿着されている図略の連結部材を介して隣接して配置されるショ−ケスの保冷シャッタ装置１ａの右駆動軸１４（図略）を回転させて駆動力を伝達する構造からなる。なお、左軸受２５は巻軸３の回転に伴って回転するが、左側板３０ｂの突出部１３に枢支されているため自由回転することになる。
【００２２】
次に、本発明において重要な役目を果たすスプリング２２について説明する。
巻軸３には保冷膜２やウエイトバー５の自重により左回転の力が働いている。なお、封止膜１０はローラ軸１１内の付勢手段により巻上げ方向（右回転方向）に力が作用しているが封止膜１０の自重は軽いため、巻軸３には常に左回転方向の力が作用している。この左回転方向の力はスプリング２２に作用し、スプリング２２にはその分だけ反発力が作用され、バランス状態を保持する。この状態において駆動源４を作動することにより巻軸３が回転することになる。
【００２３】
作動中に駆動源４を停止すると、保冷膜系（保冷膜２，封止膜１０，ウエイトバー５等）はその自重により巻軸３を左回転させ、スプリング２２にはこの保冷膜系の自重による反発力が作用し、バランスした状態で保冷膜系の作動が止まる。この時、前記の巻軸３のスプリング２２の自由状態からの回転数は、一例として数回転巻軸３が左回転するようにスプリング２２の諸元を決める。なお、保冷膜系の自重は連装型のショ−ケスの保冷シャッタ装置１においてはすべて均一とならず、巻軸の回転数には差が生ずる。しかしながら、本発明においてはスプリング２２の存在によりこの差が吸収され、保冷膜系はたるみなく同一に作動することになる。即ち、連装型のショ−ケスの保冷シャッタ装置１ａの各巻軸３には駆動源４からの駆動力が各駆動軸１４，２４等を介して伝達されるが、保冷膜系の差により各巻軸３の回転が均一にならない。しかしながらすべての巻軸３がスプリング２２を介して連結される構造からなるため、この差がスプリング２２により吸収され、各保冷膜系は均一に作動することになる。また、スプリング２２の存在により、上昇位置や下降位置において保冷膜系が停止してもスプリング２２によるバネ力が作用し、上昇位置で保冷膜２は巻軸３に確実に保持されると共に、下降位置においてはウエイトバー５のシール部材７が手摺４２に圧接し、シール性が保持される。
【実施例２】
【００２４】
実施例１では吸収調整機構部が巻軸３内に設けられていたが、吸収調整機構部はこれに限定するものではない。実施例２では実施例１と異なる吸収調整機構部について説明する。図５はその吸収調整機構部の概要構造を示すものである。この吸収調整機構部は保冷膜２に設けられた伸縮膜２ａからなる。一般に保冷膜２は膜全体を通してほぼ均一の性状を有するものからなり、その伸縮性はほぼ一定であり、かつ伸縮性の機能は低い。即ち、伸縮する機能がほとんどないものからなる。本実施例では図示のように保冷膜２の上方側に伸縮性のある伸縮膜２ａを設けたものである。通常ショーケース１００は保冷膜２の閉止時においてもその冷気は主に下方側に集中し、上方側は少ない。よって上方側は保冷性の低い膜でもよい。よって保冷性は低いが伸縮性のある膜を上方側に設けても保冷機能の低下は殆どないと見てよい。よって、保冷膜２の上部に伸縮膜２ａを設け、これを実施例１におけるスプリング２２の替りにすることにより、実施例１とほぼ同様の効果を上げることができる。勿論、保冷膜２の全体を伸縮があり、かつ保冷性もある膜としてもよい。
【００２５】
吸収調整機構部としては実施例１及び２のものに限定するものではなく、同一機能を有するものであれば任意の機構のものでよい。また、実施例１及び２の吸収調整機構部は構造が簡単でコンパクトにまとめられ、比較的簡便，安価に実施することができる。
【産業上の利用可能性】
【００２６】
本発明は、食品保冷用のショーケースについて適用したが、それに限定するものではなく、保冷を必要とする他のショーケースにも適用され、その利用範囲は広い。
【図面の簡単な説明】
【００２７】
【図１】本発明のショ−ケスの保冷シャッタ装置に設けられたスプリング式の吸収調整機構部の実施例の詳細構造を示す軸断面図。
【図２】本発明のショ−ケスの保冷シャッタ装置に設けられたスプリング式の吸収調整機構部の実施例の詳細構造を示す軸断面図。
【図３】図１及び図２に示す吸収調整機構部に用いられている連結パイプの構造を示す平面図（ａ）及びＡ−Ａ線断面図（ｂ）。
【図４】図１のＢ−Ｂ線断面図。
【図５】本発明のショ−ケスの保冷シャッタ装置に設けられた別の吸収調整機構部の概要構造を示す正面図。
【図６】本発明のショ−ケスの保冷シャッタ装置の適用されるショーケースの構造を示す断面図。
【図７】本発明の吸収調整機構部の適用されるショ−ケスの保冷シャッタ装置を示す正面図。
【図８】本発明の吸収調整機構部の適用される連装型のショ−ケスの保冷シャッタ装置を示す正面図。
【符号の説明】
【００２８】
１      連装型のショ−ケスの保冷シャッタ装置
１ａ    ショ−ケスの保冷シャッタ装置
２      保冷膜
２ａ    伸縮膜
３      巻軸
３ａ    リブ
４      駆動源
５      ウエイトバー
６      ガイド
７      シール部材
８      位置検出部
９      位置検出部
１０    封止膜
１１    ローラ軸
１２    連結手段
１３    突出部
１４    右駆動軸
１４ａ  大径部
１４ｂ  小径部
１４ｃ  スプライト形状部
１５    貫通孔
１５ａ  貫通孔
１６    連結部材
１７    スプリング受け
１７ａ  突起
１８    特殊座金
１９    スプリング
２０    右軸受
２０ａ  大径部
２０ｂ  小径部
２１    突起
２２    スプリング
２３    凹溝
２４    左駆動軸
２４ａ  大径部
２４ｃ  スプライン形状部
２５    左軸受
２６    スプリング
２７    スプリング
２８    連結パイプ
１００  ショーケース
【図１】
2006230961.tif 000003
【図２】
2006230961.tif 000004
【図３】
2006230961.tif 000005
【図４】
2006230961.tif 000006
【図５】
2006230961.tif 000007
【図６】
2006230961.tif 000008
【図７】
2006230961.tif 000009
【図８】
2006230961.tif 000010